(57)【特許請求の範囲】
【請求項１】
２つの光源ユニットと、
この光源ユニットをそれぞれ収納する２つの器具本体と、
前記２つの器具本体のうちの一方側に取り付けられ、前記２つの光源ユニットに電力を供給する点灯回路ユニットと、
前記２つの器具本体のうちの他方側に収納され、前記２つの光源ユニットと前記点灯回路ユニットとを着脱可能に接続するとともに、前記２つの光源ユニットと前記点灯回路ユニットとの接続の組み合わせが選択されることにより、前記２つの光源ユニットのうちのいずれか一方が前記点灯回路ユニットに接続する、または前記２つの光源ユニットが直列接続されて前記点灯回路ユニットに接続する中継コネクタと、
を備え、
前記２つの器具本体のうちの他方側の器具本体は、増光用点灯回路ユニットが着脱可能であり、前記増光用点灯回路ユニットが取り付けられたとき、前記中継コネクタを介して、前記２つの光源ユニットのうちの他方が前記増光用点灯回路ユニットに接続されること
を特徴とする照明器具。
【請求項２】
前記点灯回路ユニットは、
前記光源ユニットが接続される数を判定する判定部と、
第一の電流基準値と前記第一の電流基準値よりも大きい第二の電流基準値が設定された設定部と、
を備え、
前記点灯回路ユニットは、接続される前記光源ユニットの数が多いとき、出力する出力電流を前記第一の電流基準値と等しくなるように制御し、接続される前記光源ユニットの数が少ないとき、出力する出力電流を前記第二の電流基準値と等しくなるように制御することを特徴とする請求項１に記載の照明器具。
【発明の詳細な説明】
【技術分野】
【０００１】
この発明は、例えば、発光ダイオード（以下「ＬＥＤ」と呼ぶ。）または有機エレクトロルミネッセンス（以下「有機ＥＬ」と呼ぶ。）を点灯する照明器具に関するものである。
【背景技術】
【０００２】
光源としてのＬＥＤチップが基板に複数実装されたＬＥＤモジュールなどを有する光源ユニットを、本体フレームに着脱可能な照明装置がある（例えば、特許文献１参照。）。
【先行技術文献】
【特許文献】
【０００３】
【特許文献１】特開２０１０−１９８８５９号公報
【発明の概要】
【発明が解決しようとする課題】
【０００４】
しかしながら、ＬＥＤモジュールを構成するＬＥＤチップに開放故障が起こったときは、ＬＥＤモジュールを交換するまで、すべてのＬＥＤモジュールが点灯できなくなる恐れがあった。
【０００５】
本発明は、中継コネクタの接続を組み替えることによって、複数の光源ユニットのうちいずれかが故障しても、正常の光源ユニットを点灯させる照明器具を提供する。
【課題を解決するための手段】
【０００６】
この発明に関する照明器具は、２つの光源ユニットと、この光源ユニットをそれぞれ収納する２つの器具本体と、前記２つの光源ユニットに電力を供給する点灯回路ユニットと、前記２つの器具本体の一方に収納され、前記２つの光源ユニットと前記点灯回路ユニットとを着脱可能に接続するとともに、前記２つの光源ユニットと前記点灯回路ユニットとの接続の組み合わせを選択することにより、前記２つの光源ユニットのうちのいずれかを前記点灯回路ユニットに接続する、または前記２つの光源ユニットが直列接続されて前記点灯回路ユニットに接続する中継コネクタと、を備える。
【発明の効果】
【０００７】
この発明にかかる照明器具によれば、複数の光源ユニットのうちいずれかが故障しても、正常の光源ユニットを点灯させることができる。
【図面の簡単な説明】
【０００８】
【図１】実施の形態１の照明器具を示す斜視図である。
【図２】図１に示す照明器具の正面図である。
【図３】図１に示す照明器具の分解斜視図である。
【図４】図１の光源ユニットを背面からみた斜視図である。
【図５】図３の光源ユニットを分解した斜視図である。
【図６】図１の照明器具の内部配線を示す内部配線図である。
【図７】実施の形態１の点灯回路ユニットの回路構成を示す回路図である。
【図８】図６の照明器具の内部配線を簡略化した結線図である。
【図９】図６の照明器具の他の内部配線を示す結線図である。
【図１０】図６の照明器具の他の内部配線を示す結線図である。
【図１１】図６の照明器具の他の内部配線を示す結線図である。
【発明を実施するための形態】
【０００９】
実施の形態１．
図１は、本実施の形態の照明器具を示す斜視図であり、図２は、図１に示す照明器具の正面図であり、図３は、図１の照明器具の一部を分解した分解斜視図である。
【００１０】
照明器具１０００は、２つの器具本体１００と、この２つの器具本体１００を連結し、それぞれの器具本体１００の端部を形成する２つの連結部２００と、２つの器具本体１００のうちのいずれか一方に取り付けられる点灯回路ユニット３００と、それぞれの器具本体１００に取り付けられる光源ユニット４００と、それぞれの器具本体１００に取り付けられるルーバー５００とを備える。
【００１１】
ここで、２つの器具本体１００を合わせて、照明器具本体という場合がある。また、説明の便宜上、点灯回路ユニット３００が取り付けられる一方の器具本体１００を、点灯回路ユニット内蔵器具本体１００ａという場合があり、他方の器具本体１００を増光用器具本体１００ｂという場合がある。また、説明の便宜上、点灯回路ユニット内蔵器具本体１００ａに取り付けられる光源ユニット４００を単に光源ユニット４００ａという場合があり、増光用器具本体１００ｂに取り付けられる光源ユニット４００を増光用光源ユニット４００ｂという場合がある。
【００１２】
図４は、図３の光源ユニットを背面からみた斜視図であり、図５は、図４の光源ユニットを分解した斜視図であり、図６は、図１の照明器具の内部配線を示す内部配線図である。なお、図６に示す照明器具は、内部配線が分かるように、図２に示す照明器具の正面図からルーバー５００を取り外し、光源ユニット４００の長手方向一端側を切断した状態を表している。
【００１３】
器具本体１００は、断面がコの字状をなし、長方形状の天面１１０と、この天面１１０の短手方向の両側からほぼ直角に折り曲げられて形成される２つの側面１２０と、を備える。
【００１４】
天面１１０は、３つの長方形状の通気穴１１１（以下、空調リターン穴１１１ともいう。）と、点灯回路ユニット３００が取り付けられる点灯回路ユニット取付部１１２（図示しない。）と、光源ユニット４００が取り付けられる４つの光源ユニット取付穴１１３と、を有する。
側面１２０は、下端側にルーバーを引っ掛ける凸状のルーバー取付部１２１を備える。
【００１５】
連結部２００は、Ｌ字状に折り曲げられて形成され、一面２１０が器具本体１００の長手方向端部に取り付けられる２つの幅広部２１１と、この２つの幅広部２１１の間（２つの器具本体１１０間）が幅広部２１１よりも狭い幅狭部２１２からなるコの字形状をなし、他面２２０が器具本体１００の長手方向端部側かつ天面１１０に取り付けられるＩ字形状をなしている。
【００１６】
この連結部２００の一面２１０（幅広部２１１）には、天井に格子状に設けられているＴバーに係止する２つのＴバー取付金具２３０と、ルーバー５００が取り付けられる４つのルーバー取付穴２４０と、を備える。
【００１７】
なお、連結部２００の一面２１０（幅狭部２１２）には、電源線が取り付けられる電源端子台２１３や、調光線などが取り付けられる調光線取付端子台などを有する場合があるが、詳細説明は省略する。
【００１８】
点灯回路ユニット３００は、接続される光源ユニット４００に電流を供給して点灯させる。この点灯回路ユニット３００から２本の出力電線３１０（以下、内部配線３１０ともいう。）が引き出され、一方の出力電線３１０には点灯回路ユニット用メス型コネクタ３２０ａ、他方の出力電線３１０には点灯回路ユニット用オス型コネクタ３２０ｂを有している。この点灯回路ユニット用メス型コネクタ３２０ａと点灯回路ユニット用オス型コネクタ３２０ｂを合わせて、単に中継コネクタ３２０という。この点灯回路ユニット３００用の中継コネクタ３２０は、２つの器具本体１００のうち、点灯回路ユニット３００が取り付けられていない器具本体１００側に収納される。
【００１９】
光源ユニット４００は、断面形状が「Σ」形状の反射板４１０と、この反射板４１０に取り付けられるとともに、器具本体１００に取り付けられる器具本体固定部４２０と、反射板４１０に取り付けられる絶縁シート４３０、光源モジュール４４０（以下、ＬＥＤモジュール４４０ともいう。）及び反射カバー４５０及び透明カバー４６０と、光源モジュール４４０に接続される２本の入力電線４７０（以下、内部配線４７０ともいう。）と、この２本の入力電線４７０のうち、一方に接続される光源ユニット用メス型コネクタ４８０ａと、２本の入力電線のうち、他方に接続される光源ユニット用オス型コネクタ４８０ｂと、を備える。
【００２０】
なお、光源ユニット用メス型コネクタ４８０ａと光源ユニット用オス型コネクタ４８０ｂを合わせて、単に中継コネクタ４８０という。この光源ユニット４００用の中継コネクタ４８０は、点灯回路ユニット３００用の中継コネクタ３２０が収納される器具本体１００側に収納される。
【００２１】
反射板４１０は、絶縁シート４２０、光源モジュール４３０及び反射カバー４４０が取り付けられる凹状の光源取付部４１１と、この光源取付部４１１から両側に斜め方向に折り曲げられて形成される反射板反射面４１２と、この反射板反射面４１２から鋭角に折り曲げられて形成される折返面４１３と、を備える。
【００２２】
この反射板４１０は、正面からみたときの正面視がほぼ長方形に形成され、短手方向の長さ（２つの反射板反射面４１２の両端までの長さ）が、器具本体１００の短手方向の長さよりも短くなっている。
【００２３】
器具本体固定部４２０は、側面形状が「く」の字状に形成され、光源取付部４１１の裏面に取り付けられる反射板取付部４２１と、この反射板取付部４２１から斜め方向に折り曲げられて形成されるアーム部４２２と、このアーム部４２２の先端に設けられ、器具本体１００にネジ４２３などの固定具によって取り付けられるアーム固定部４２４と、を備える。
【００２４】
絶縁シート４３０は、光源取付部４１１に取り付けられ、絶縁性と放熱性を有するシート状のシリコンシート、サーコンシート、マイカシート、ポリエチレンシートなどである。
【００２５】
光源モジュール４４０は、１３個のＬＥＤ４４１（以下、光源部４４１ともいう。）と、このＬＥＤ４４１が実装されるＬＥＤ基板４４２からなる。
【００２６】
この光源モジュール４４０は、ネジ４４３によって、絶縁シート４３０とともに、光源取付部４１１に取り付けられる。
【００２７】
また、光源モジュール４４０は、他の光源モジュール４４０や点灯回路ユニット３００に電気的かつ物理的に接続されるハーネス４４４が取り付けられるコネクタをＬＥＤ基板４１２上に実装するが、詳細説明は省略する。また、このコネクタを覆う絶縁カバー４４５を備える場合もあるが、これは、コネクタと、このコネクタの近くに配置される金属部分との絶縁距離を確保するためのものである。
【００２８】
反射カバー４５０は、光源モジュール４４０のＬＥＤ４４１が挿入される１３個のＬＥＤ挿入窓４５１と、このＬＥＤ挿入窓４５１から四方に傾斜してＬＥＤ４４１が発する光を反射する反射面４５２と、この反射面４５２の短手方向に平面状に広がるカバー支持部４５４と、このカバー支持部４５４の端部からほぼ垂直に設けられるカバー取付部４５５と、このカバー取付部４５５の発光面側かつ内側に突出するカバー押さえ片４５５ａと、カバー取付部４５５にカバー押さえ片４５５ａとは逆方向から切り込まれたスリット４５５ｂを有するとともに、光源取付部４１１に係合する弾性を有する係止片４５５ｃと、カバー支持部４５４の長手方向の端部にＬＥＤ４４１が発光する方向に突出する突出片４５６と、を備える。
【００２９】
透明カバー４６０は、ほぼ長方形のシート状に形成された透過性を有する透明なアクリルシートなどである。なお、この実施の形態では、透明カバー４６０を用いた場合を説明するが、透明カバー４６０に替えて透光性（光拡散性）を有する透光カバー、例えば乳白アクリルシートなどであっても構わない。したがって、透明カバー４６０を透過性カバー４６０という場合がある。
【００３０】
ルーバー５００は、梯子状に形成され、２つのルーバー連結片５１０と、この２つのルーバー連結片５１０に略垂直に取り付けられる１２枚のルーバー片５２０と、を備える。
【００３１】
ルーバー連結片５１０は、長手方向の一端側にＴ字状のスリットが形成されるルーバー取付溝５１１と、長手方向の他端側に設けられ、摺動可能な取付ピン５１２と、を備える。
【００３２】
ルーバー片５２０は、扇状の板材となっており、ルーバー５００は、摺動可能な取付ピン５１２などで器具本体１００に取り付けられる。
【００３３】
次に、点灯回路ユニット３００の構成について説明する。
図７は、図３の照明器具の点灯回路ユニットの回路構成を示す回路図である。
【００３４】
点灯回路ユニット３００は、交流電圧ＡＣが供給され、直流電圧に変換する直流電源回路３３０と、この直流電源回路３３０が出力する直流電流が入力され、点灯回路ユニット３００用の中継コネクタ３２０及び光源ユニット４００用の中継コネクタ４８０を介して接続される光源モジュール４４０に定電流を供給する定電流電源回路３４０と、この定電流電源回路３４０が出力する出力電圧を検出する出力電圧検出回路３５０と、定電流電源回路３４０が光源モジュール４４０に供給している電流を検出する出力電流検出回路３６０と、この出力電流検出回路３６０及び出力電圧検出回路３５０が検出する検出電流及びこの検出電圧に基づいて、定電流電源回路３４０を制御する制御回路３７０と、を備える。
【００３５】
直流電源回路３３０は、例えば、昇圧形チョッパ回路などである。
【００３６】
定電流電源回路３４０は、直流電源回路の高電位側にドレイン端子が接続されるＭＯＳ−ＦＥＴ３４１と、このＭＯＳ−ＦＥＴ３４１のソース端子にカソード端子が接続されるダイオード３４２と、同じくＭＯＳ−ＦＥＴ３４１のソース端子に一端が接続されるインダクタ３４３と、このインダクタ３４３の他端に接続されるコンデンサ３４４と、ＭＯＳ−ＦＥＴ３４１のゲート端子に接続され、ＭＯＳ−ＦＥＴ３４１のオン／オフを行う駆動回路３４５と、を備える。この実施の形態の定電流電源回路３４０の構成は、いわゆるバックコンバータであるが、ブーストコンバータ、フライバックコンバータ、フォワードコンバータなどであっても構わない。
【００３７】
出力電圧検出回路３５０は、定電流電源回路３４０の出力端子間に接続され、２つの抵抗３５１、３５２が直列接続されている。この２つの抵抗３５１、３５２の接続点から、定電流電源回路３４０が出力している出力電圧に比例する出力電圧検出信号（以下、単に出力電圧検出信号という場合は、定電流電源回路３４０が出力する出力電圧を含む場合がある。）を出力する。なお、この実施の形態における出力電圧検出回路３５０は、２つの抵抗３５１、３５２を直列接続している場合について説明するが、３つ以上の抵抗を直列接続しても構わない。
【００３８】
出力電流検出回路３６０は、定電流電源回路３４０の低電位側と光源モジュール４４０の間に接続され、１つの抵抗３６１からなる。この抵抗３６１と光源モジュール４４０の接続点から、定電流電源回路３４０が光源モジュール４４０に供給している出力電流に相当する出力電流検出信号を出力する。
【００３９】
制御回路３７０は、例えば、マイコンなどである。制御回路３７０は、判定部３７１と、設定部３７２とを有する。
【００４０】
設定部３７２には、第一の電流基準値（例えば、光源モジュール４４０に流す電流３２０ｍＡに相当する０．８６Ｖ）と第二の電流基準値（例えば、光源モジュール４４０に流す電流４５０ｍＡに相当する１．２２Ｖ）が設定されている。
【００４１】
判定部３７１は、点灯回路ユニット３００に交流電圧が入力されてから、所定時間（例えば５００ｍｓ）の間、定電流電源回路３４０を動作させ、光源モジュール４４０に流れる電流が第一の電流基準値と等しくなるように制御し、このときに出力電圧検出回路３４０が検出する検出電圧に基づいて、点灯回路ユニット３００に接続されている光源モジュール４４０の灯数を判定し、所定時間経過後、光源モジュール４４０の灯数が２灯である場合は、定電流電源回路３４０が光源モジュール４４０に供給する電流を第一の電流基準値と等しくなるように定電流電源回路３４０（駆動回路３４５）に発振制御信号を出力し、光源ユニット４００の灯数が１灯である場合は、定電流電源回路３４０が光源ユニット４００に供給する電流を第二の電流基準値と等しくなるように定電流電源回路３４０（駆動回路３４５）に発振制御信号を出力する。
【００４２】
なお、この実施の形態では、点灯回路ユニット３００に接続される光源ユニット４００の灯数を１灯の場合と２灯の場合について説明するが、設定部３７２に３つ以上の接続灯数に対応するそれぞれの電流基準値を持たせて、点灯回路ユニット３００に接続される光源ユニット４００の灯数を３灯以上としてもよい。この場合も、判定部３７１が点灯回路ユニット３００に接続される灯数を判定するまでの期間は、複数の電流基準値のうち、最も小さい値の電流基準値を用いて、光源ユニット４００を点灯させると、点灯回路ユニット３００の出力電力容量の最大値が抑えられ、接続灯数が異なっても、点灯回路ユニット３００の出力電力容量の変動幅を抑えることができる。
【００４３】
次に２つの器具本体１００のそれぞれの光源ユニット４００と点灯回路ユニット３００間を電気的かつ物理的に接続される出力電線３１０ならびに点灯回路ユニット３００用の中継コネクタ３２０と、入力電線４７０ならびに光源ユニット４００用の中継コネクタ４８０について説明する。
【００４４】
図８は、図６の照明器具の内部配線を簡略化したものであり、光源ユニットと点灯回路ユニットの電気接続を示す内部配線図である。
【００４５】
点灯回路ユニット３００に接続される出力電線３１０と、点灯回路ユニット内蔵器具本体１００ａに取り付けられる光源ユニット４００に接続されている入力電線４７０は、点灯回路ユニット内蔵器具本体１００ａの長手方向の端部側面から連結部２００に引き出され、この連結部２００に沿って配線され、増光用器具本体１００ｂの長手方向の端部側面から内部に引き込まれる。
【００４６】
増光用器具本体１００ｂに引き込まれた出力電線３１０の点灯回路ユニット用メス型中継コネクタ３２０ａと、同じく増光用器具本体１００ｂに引き込まれた入力電線４７０の光源ユニット用オス型中継コネクタ４８０ｂとが接続される。
【００４７】
また、増光用器具本体１００ｂに引き込まれた入力電線４７０の光源ユニット用メス型中継コネクタ４８０ａは、増光用器具本体１００ｂに取り付けられる光源ユニット４００に接続されている入力電線４７０の光源ユニット用オス型中継コネクタ４８０ｂに接続される。
【００４８】
また、増光用器具本体１００ｂに引き込まれた出力電線３１０の点灯回路ユニット用オス型中継コネクタ３２０ｂは、増光用器具本体１００ｂに取り付けられる光源ユニット４００に接続されている入力電線４７０の光源ユニット用メス型中継コネクタ４８０ａに接続される。
【００４９】
次に、照明器具１０００の２つの光源ユニット４００のうち、いずれか一方の光源ユニット４００が故障した場合について説明する。
【００５０】
点灯回路ユニット内蔵器具本体１００ａ側の光源ユニット４００が故障した場合について説明する。
図９は、点灯回路ユニット３００と、片側の光源ユニット４００のみとを結線した内部配線の簡略した配線図である。
【００５１】
光源ユニット４００ａが故障したとき、光源ユニット４００ａ側の光源ユニット用メス型中継コネクタ４８０ａと光源ユニット用オス型中継コネクタ４８０ｂを、点灯回路ユニット３００側の点灯回路ユニット用メス型コネクタ３２０ａと増光用光源ユニット４００ｂ側の光源ユニット用オス型コネクタ４８０ｂから外す。
【００５２】
次に、外した点灯回路ユニット３００側の点灯回路ユニット用メス型コネクタ３２０ａと増光用光源ユニット４００ｂ側の光源ユニット用オス型コネクタ４８０ｂを接続する。
【００５３】
同様に、増光用器具本体１００ｂ側の光源ユニット４００が故障した場合について説明する。
図１０は、点灯回路ユニット３００と、図９の光源ユニットとは反対側の光源ユニット４００のみとを結線した内部配線の簡略した配線図である。
【００５４】
増光用光源ユニット４００ｂが故障したとき、増光用光源ユニット４００ｂ側の光源ユニット用メス型中継コネクタ４８０ａと光源ユニット用オス型中継コネクタ４８０ｂを、点灯回路ユニット３００側の点灯回路ユニット用オス型コネクタ３２０ｂと増光用光源ユニット４００ｂ側の光源ユニット用メス型コネクタ４８０ａから外す。
【００５５】
次に、外した点灯回路ユニット３００側の点灯回路ユニット用オス型コネクタ３２０ｂと光源ユニット４００ａ側の光源ユニット用メス型コネクタ４８０ａを接続する。
【００５６】
このように、点灯回路ユニット３００用の中継コネクタ３２０と光源ユニット４００用の中継コネクタ４８０を差し替えることにより、１つの点灯回路ユニット３００に対して、２つの光源ユニット４００の直列接続と、どちらか片側の光源ユニット４００のみへの接続変更が可能である。
【００５７】
したがって、点灯回路ユニット３００は、２つの光源ユニット４００に直列接続しているため、万一オープン故障が起こった際、全てが不点灯となるが、点灯回路ユニット３００用の中継コネクタ３２０と光源ユニット４００用の中継コネクタ４８０を差し替えることにより接続の変更が可能であるので、どちらの光源ユニット４００がオープン故障したか特定することができ、また、故障した光源ユニット４００を直列接続から除き、正常側の光源ユニット４００のみでの点灯を再開することができる。
【００５８】
また、点灯回路ユニット３００は、接続される光源ユニット４００の数を識別し、接続される光源ユニット４００が少ないときは、光源ユニット４００に供給する電流を増加させることができるので、光源ユニット４００の故障により、光源ユニット４００の数が減った分の明るさを補うことができる。
【００５９】
また、点灯回路ユニット３００用の中継コネクタ３２０と光源ユニット４００用の中継コネクタ４８０は、点灯回路ユニット３００が取り付けられている器具本体１００（点灯回路ユニット内蔵器具本体１００ａ）と反対側の器具本体１００（増光用器具本体１００ｂ）に設けられているため、ルーバー５００および光源ユニット４００の開閉、脱着などの施工は、器具本体１００（増光用器具本体１００ｂ）の片側のみで賄うことができ、点灯回路ユニット３００が取り付けられている側の器具本体１００（点灯回路ユニット内蔵器具本体１００ａ）の施工は不要とすることができる。
【００６０】
光源ユニット４００を器具本体１００から取り外しやすくしているので、点灯回路ユニット３００用の中継コネクタ３２０と光源ユニット４００用の中継コネクタ４８０の差し替えを容易に行うことができる。
【００６１】
また、光源ユニット４００を器具本体１００から取り外しやすくしているので、光源ユニット４００の交換が容易となる。
【００６２】
次に、照明器具１０００の明るさを増加させる方法について説明する。
【００６３】
図１１は、点灯回路ユニット３００を器具本体１００に追加したときの内部配線を示す結線図である。
【００６４】
天井などに多くの照明器具１０００が設置されているが、その使用用途（ビルのテナントが替わったり、レイアウト変更などを行ったりしたとき）に応じて、照明器具１０００の明るさを変更したい場合がある。
【００６５】
照明器具１０００ごと交換することが多くあるが、光源であるＬＥＤの寿命が長寿命であるため、光源の寿命がきていない照明器具１０００を交換して廃棄すると、昨今の３Ｒ（リデュース、リユース、リサイクル）政策に則していない。
【００６６】
そこで、予め照明器具１０００に設置されている点灯回路ユニット３００と同じ仕様（性能）を有する増光用点灯回路ユニット３００ａを準備し、これを用いて、照明器具１０００の明るさを増加させる場合について説明する。
【００６７】
なお、増光用点灯回路ユニット３００ａは、点灯回路ユニット３００とほぼ同一の構成であるため、同符号を付して詳細説明を省略する。
【００６８】
この増光用点灯回路ユニット３００ａは、２本の出力電線３１０と、この２本の出力電線３１０の先端にそれぞれ増光用点灯回路ユニット用メス型中継コネクタ３２１ａと、増光用点灯回路ユニット用オス型中継コネクタ３２１ｂを有している。ここで、増光用点灯回路ユニット用メス型中継コネクタ３２１ａと、増光用点灯回路ユニット用オス型中継コネクタ３２１ｂを合わせて、単に中継コネクタ３２１という。
【００６９】
まず、増光用器具本体１００ｂからルーバー５００を取り外し、次に、増光用光源ユニット４００ｂを取り外す。
【００７０】
この状態で、増光用器具本体１００ｂに増光用点灯回路ユニット３００ａを取り付ける。
【００７１】
次に、増光用光源ユニット４００ｂが故障したときと同様に、増光用光源ユニット４００ｂ側の光源ユニット用メス型中継コネクタ４８０ａと光源ユニット用オス型中継コネクタ４８０ｂを、点灯回路ユニット３００側の点灯回路ユニット用オス型コネクタ３２０ｂと光源ユニット４００ａ側の光源ユニット用メス型コネクタ４８０ａから外す。
【００７２】
その後、外した点灯回路ユニット３００側の点灯回路ユニット用オス型コネクタ３２０ｂと光源ユニット４００ａ側の光源ユニット用メス型コネクタ４８０ａを接続する。
【００７３】
次に、外した増光用光源ユニット４００ｂ側の光源ユニット用メス型中継コネクタ４８０ａと光源ユニット用オス型中継コネクタ４８０ｂは、それぞれ増光用点灯回路ユニット３００ａの増光用点灯回路ユニット用オス型中継コネクタ３２１ｂと、増光用点灯回路ユニット用メス型中継コネクタ３２１ａに接続する。
【００７４】
したがって、光源ユニット４００ａは、点灯回路ユニット３００によって点灯することができ、増光用光源ユニット４００ｂは、増光用点灯回路ユニット３００ａによって点灯することができる。つまり、点灯回路ユニット３００及び増光用点灯回路ユニット３００ａは、接続される光源ユニット４００の灯数が減少すると、出力電流を増加させることができるので、光源ユニット４００ａ、増光用光源ユニット４００ｂの明るさが増加し、照明器具１０００としての明るさも増加させることができる。
【００７５】
また、点灯回路ユニット３００用の中継コネクタ３２０と光源ユニット４００用の中継コネクタ４８０は、点灯回路ユニット３００が取り付けられている器具本体１００（点灯回路ユニット内蔵器具本体１００ａ）と反対側の器具本体１００（増光用器具本体１００ｂ）に設けられているため、ルーバー５００の開閉等を行い、追加する増光用点灯回路ユニット３００ａを取り付ける施工は、器具本体１００（増光用器具本体１００ｂ）の片側の施工のみで賄うことができ、点灯回路ユニット３００が予め取り付けられている側の器具本体１００（点灯回路ユニット内蔵器具本体１００ａ）の施工は不要とすることができる。
【００７６】
なお、本実施の形態では、点灯回路ユニット３００に光源ユニット４００ａを接続し、増光用点灯回路ユニット３００ａに増光用光源ユニット４００ｂを接続する場合について説明したが、点灯回路ユニット３００に増光用光源ユニット４００ｂを接続し、増光用点灯回路ユニット３００ａに光源ユニット４００ａを接続してもよい。
【符号の説明】
【００７７】
１０００  照明器具、１００  器具本体、１００ａ  点灯回路ユニット内蔵器具本体、１００ｂ  増灯用器具本体、１１０  天面、１１１  通気穴（空調リターン穴）、１１２  点灯回路ユニット取付部、１１３  光源ユニット取付穴、１２０  側面、１２１  ルーバー取付部、２００  連結部、２１０  一面、２１１  幅広部、２１２  幅狭部、２１３  電源端子台、２２０  他面、２３０  Ｔバー取付金具、２４０  ルーバー取付穴、３００  点灯回路ユニット、３００ａ  増光用点灯回路ユニット、３１０  出力電線、３２０  中継コネクタ、３２０ａ  点灯回路ユニット用メス型中継コネクタ、３２０ｂ  点灯回路ユニット用オス型中継コネクタ、３２１  中継コネクタ、３２１ａ  増光用点灯回路ユニット用メス型中継コネクタ、３２１ｂ  増光用点灯回路ユニット用オス型中継コネクタ、３３０  直流電源回路、３４０  定電流電源回路、３４１  ＭＯＳ−ＦＥＴ、３４２  ダイオード、３４３  インダクタ、３４４  コンデンサ、３４５  駆動回路、３５０  出力電圧検出回路、３５１、３５２  抵抗、３６０  出力電流検出回路、３６１  抵抗、３７０  制御回路、３７１  判定部、３７２  設定部、４００、４００ａ  光源ユニット、４００ｂ  増光用光源ユニット、４１０  反射板、４１１  光源取付部、４１２  反射板反射面、４１３  折返面、４２０  器具本体固定部、４２１  反射板取付部、４２２  アーム部、４２３  ネジ、４２４  アーム固定部、４３０  絶縁シート、４４０  光源モジュール、４４１  ＬＥＤ、４４２  ＬＥＤ基板、４４３  ネジ、４４４  ハーネス、４４５  絶縁カバー、４５０  反射カバー、４５１  ＬＥＤ挿入窓、４５２  反射面、４５５  反射カバー取付部、４５５ａ  カバー押さえ片、４５５ｂ  スリット、４５５ｃ  係止片、４５６  突出片、４６０  透明カバー（透過性カバー）、４７０  入力電線、４８０  中継コネクタ、４８０ａ  光源ユニット用メス型中継コネクタ、４８０ｂ  光源ユニット用オス型中継コネクタ、５００  ルーバー、５１０  ルーバー連結片、５１１  ルーバー取付溝、５１２  取付ピン、５２０  ルーバー片。
【図１】
0005652288.tif 000002
【図２】
0005652288.tif 000003
【図３】
0005652288.tif 000004
【図４】
0005652288.tif 000005
【図５】
0005652288.tif 000006
【図６】
0005652288.tif 000007
【図７】
0005652288.tif 000008
【図８】
0005652288.tif 000009
【図９】
0005652288.tif 000010
【図１０】
0005652288.tif 000011
【図１１】
0005652288.tif 000012